(57)【要約】【課題】  スピニングリールのリアドラグ操作構造において、リール本体内に異物が入り込みにくくするとともに、リアドラグ操作構造のシルエットに対する意匠性を向上する。【解決手段】  リアドラグ操作構造は、つまみ装着部５２と、第１リアドラグつまみ５０と、第２リアドラグつまみ５１とを備えている。つまみ装着部５２は、リール本体の後部１ｃから後方に突出した筒状部５２ｇと、筒状部５２ｇの外周面に形成された雄ねじ部５２ｅとを有している。第１リアドラグつまみ５０は、つまみ装着部５２の後端部に装着されている。第２リアドラグつまみ５１は、リール本体の後部１ｃと第１リアドラグつまみ５０の前部との間に配置されたレバー部材９０，９１，９４と、レバー部材９０，９１，９４に相対回転不能かつ前後相対移動可能に装着されつまみ装着部５２の雄ねじ部５２ｅに螺合させたナット部材９５とを有している。【選択図】      図５
2005046086.tif 000002
【特許請求の範囲】
【請求項１】
スピニングリールのリール本体の後方に設けられたリアドラグ機構を操作するためのリアドラグ操作構造であって、
前記リール本体の後部から後方に筒状に突出する筒状部および前記筒状部の前記後部側の外周面に雄ねじ部を有するつまみ装着部と、
前記つまみ装着部の後端部に装着され前記リアドラグ機構のドラグ力を微調整するための第１リアドラグつまみと、
前記リール本体の前記後部と前記第１リアドラグつまみの前部との間に配置され前記後部と前記前部とに接触可能なレバー部材と、前記レバー部材に相対回転不能かつ前後相対移動可能に装着され前記雄ねじ部に螺合するナット部材とを有し、前記レバー部材の揺動により前記ナット部材を回動させて前記リアドラグ機構のドラグ力を前記第１リアドラグつまみより広い範囲で調整するための第２リアドラグつまみと、
を備えるスピニングリールのリアドラグ操作構造。
【請求項２】
前記ナット部材の外周には第１凹部が後端から前方に向けて形成され前記第１凹部が周方向に少なくとも１つ設けられており、前記レバー部材は筒状部分を有し前記筒状部分の内周には前記第１凹部に嵌合可能な第１凸部が形成されている、請求項１に記載のスピニングリールのリアドラグ操作構造。
【請求項３】
前記ナット部材の外周には第２凸部が前端から後方に向けて形成され前記第２凸部が周方向に少なくとも１つ設けられており、前記レバー部材は筒状部分を有し前記筒状部分の内周には前記第２凸部に嵌合可能な第２凹部が形成されている、請求項１又は２に記載のスピニングリールのリアドラグ操作構造。
【請求項４】
前記第１リアドラグつまみは前記つまみ装着部に回転自在かつ前後移動不能に装着されており、前記第２リアドラグつまみの前部と前記リール本体の前記後部との間および前記第２リアドラグつまみの後部と前記第１リアドラグつまみの前記前部との間には、微小隙間が設けられている、請求項１から３のいずれかに記載のスピニングリールのリアドラグ操作構造。
【請求項５】
前記第２リアドラグつまみと前記つまみ装着部との間には、前記第２リアドラグつまみを所定の揺動範囲で揺動させることにより発音する発音機構が設けられており、
前記発音機構は、前記第２リアドラグつまみの内周に前記揺動範囲に応じて周方向に間隔を隔てて形成される複数の音出し凹部と、前記音出し凹部に対向する位置で前記つまみ装着部の外周に形成される装着凹部と、前記装着凹部に進退自在に装着され前記音出し凹部に係合する音出しピンと、前記装着凹部に配置され前記音出しピンを前記音出し凹部側に付勢する付勢手段とからなる、
請求項１から４のいずれかに記載のスピニングリールのリアドラグ操作構造。
【発明の詳細な説明】
【技術分野】
【０００１】
本発明は、リアドラグ操作構造、特に、スピニングリールのリール本体の後方に設けられたリアドラグ機構を操作するためのリアドラグ操作構造に関する。
【背景技術】
【０００２】
従来のスピニングリールでは、リール本体の後方に設けられたリアドラグ機構を操作するためのリアドラグ操作構造が広く採用されている。
【０００３】
従来のリアドラグ操作構造は、つまみ装着部と、第１リアドラグつまみと、第２リアドラグつまみとを備えている（たとえば、特許文献１参照）。つまみ装着部は、筒状部と雄ねじ部とを有している。筒状部はリール本体の後部から後方に筒状に突出しており、雄ねじ部は筒状部の外周面に形成されている。第１リアドラグつまみは、リアドラグ機構のドラグ力を微調整するためのものであり、つまみ装着部の後端部に装着されている。第２リアドラグつまみは、レバー部材とナット部材とを有している。レバー部材は、リール本体の後部と第１リアドラグつまみの前部との間に配置されている。ナット部材は、レバー部材に回転不能かつ前後移動不能に装着されている。また、ナット部材は、つまみ装着部の雄ねじ部に螺合させている。このような第２リアドラグつまみのレバー部材を揺動させると、レバー部材とともにナット部材がつまみ装着部に対して相対回転する。このとき、レバー部材とナット部材とがつまみ装着部に対して前後方向に相対移動して、リアドラグ機構のドラグ力が第１リアドラグつまみより広い範囲で調整される。
【特許文献１】実公平３−５２５９号公報（第１図）
【発明の開示】
【発明が解決しようとする課題】
【０００４】
従来のスピニングリールのリアドラグ操作構造では、第２リアドラグつまみのレバー部材を揺動させたときに、レバー部材とナット部材とをつまみ装着部に対して前後方向に相対移動させることで、リアドラグ機構のドラグ力が調節されるようになっている。このとき、レバー部材がリール本体の後部および第１リアドラグつまみの前部に接触しないように、第２リアドラグつまみとリール本体の後部との間および第２リアドラグつまみと第１リアドラグつまみの前部との間には、隙間を設けておく必要がある。この隙間が大きくなればなるほど、隙間からリール本体内にゴミや埃のような異物が入り込んでしまうおそれがあるとともに、リール本体の後部から第１リアドラグつまみにかけて、リアドラグ操作構造のシルエットに段差が生じて意匠性が低下してしまうおそれがある。
【０００５】
本発明の課題は、スピニングリールのリアドラグ操作構造において、リール本体内に異物が入り込みにくくするとともに、リアドラグ操作構造のシルエットに対する意匠性を向上することにある。
【課題を解決するための手段】
【０００６】
発明１に係るスピニングリールのリアドラグ操作構造は、リール本体の後方に設けられたリアドラグ機構を操作するためのリアドラグ操作構造であって、つまみ装着部と、第１リアドラグつまみと、第２リアドラグつまみとを備えている。
【０００７】
つまみ装着部は、筒状部と雄ねじ部とを有している。筒状部はリール本体の後部から後方に筒状に突出しており、雄ねじ部は筒状部のリール本体後部側の外周面に形成されている。第１リアドラグつまみは、リアドラグ機構のドラグ力を微調整するためのものであり、つまみ装着部の後端部に装着されている。第２リアドラグつまみは、リアドラグ機構のドラグ力を第１リアドラグつまみより広い範囲で調整するためのものであり、レバー部材とナット部材とを有している。レバー部材は、リール本体の後部と第１リアドラグつまみの前部との間に配置されている。このレバー部材は、リール本体の後部と第１リアドラグつまみの前部とに接触可能になっている。ナット部材は、レバー部材に相対回転不能かつ前後相対移動可能に装着されている。また、ナット部材は、つまみ装着部の雄ねじ部に螺合させている。
【０００８】
このスピニングリールのリアドラグ操作構造では、第２リアドラグつまみのレバー部材を揺動させると、レバー部材とともにナット部材がつまみ装着部に対して相対回転する。このとき、レバー部材が第１リアドラグつまみの前部およびリール本体の後部に接触した状態で、ナット部材がレバー部材とつまみ装着部とに対して前後方向に相対移動して、リアドラグ機構のドラグ力が第１リアドラグつまみより広い範囲で調整される。
【０００９】
ここでは、レバー部材が第１リアドラグつまみの前部およびリール本体の後部に接触することで、レバー部材はつまみ装着部に対して前後への相対移動が規制されている。この状態で、つまみ装着部に螺合するナット部材を、第２リアドラグつまみの揺動によりレバー部材とつまみ装着部とに対して前後方向に相対移動させることで、リアドラグ機構のドラグ力を調節することができる。これにより、レバー部材を移動させるために用いられていた隙間を、第２リアドラグつまみとリール本体の後部との間および第２リアドラグつまみと第１リアドラグつまみの前部との間に設ける必要がなくなり、リール本体内に異物が入り込みにくくすることができる。そして、リアドラグ操作構造のシルエットに対する意匠性も向上することができる。
【００１０】
発明２に係るスピニングリールのリアドラグ操作構造では、発明１に記載のスピニングリールのリアドラグ操作構造において、ナット部材の外周に第１凹部が後端から前方に向けて形成されており、この第１凹部は周方向に少なくとも１つ設けられている。レバー部材は筒状部分を有しており、この筒状部分の内周には第１凹部に嵌合可能な第１凸部が形成されている。
【００１１】
この場合、ナット部材の外周に形成された第１凹部に、レバー部材の筒状部分の内周に形成された第１凸部が嵌合可能になっているので、レバー部材をナット部材の後部でナット部材に容易に位置決めすることができる。また、第２リアドラグつまみを揺動させたときには、レバー部材の第１凸部とナット部材の第１凹部とが噛み合って、ナット部材はレバー部材とともに回転する。このとき、ナット部材の第１凹部がレバー部材の第１凸部上で前後方向にスライドして、ナット部材はレバー部材とつまみ装着部とに対して前後方向に相対移動する。このように、ナット部材をレバー部材とつまみ装着部とに対して前後方向に相対移動させることで、リアドラグ機構のドラグ力を調節することができる。これにより、レバー部材を移動させるために用いられていた隙間を、第２リアドラグつまみとリール本体の後部との間および第２リアドラグつまみと第１リアドラグつまみの前部との間に設ける必要がなくなり、リール本体内に異物が入り込みにくくすることができる。そして、リアドラグ操作構造のシルエットに対する意匠性も向上することができる。
【００１２】
発明３に係るスピニングリールのリアドラグ操作構造では、発明１又は２に記載のスピニングリールのリアドラグ操作構造において、ナット部材の外周に第２凸部が前端から後方に向けて形成されており、この第２凸部は周方向に少なくとも１つ設けられている。レバー部材は筒状部分を有しており、この筒状部分の内周には第２凸部に嵌合可能な第２凹部が形成されている。
【００１３】
この場合、ナット部材の外周に形成された第２凸部に、レバー部材の筒状部分の内周に形成された第２凹部が嵌合可能になっているので、レバー部材をナット部材の前部でナット部材に容易に位置決めすることができる。また、第２リアドラグつまみを揺動させたときには、レバー部材の第２凹部とナット部材の第２凸部とが噛み合って、ナット部材はレバー部材とともに回転する。このとき、ナット部材の第２凸部がレバー部材の第２凹部内で前後方向にスライドして、ナット部材はレバー部材とつまみ装着部とに対して前後方向に相対移動する。このように、ナット部材をレバー部材とつまみ装着部とに対して前後方向に相対移動させることで、リアドラグ機構のドラグ力を調節することができる。これにより、レバー部材を移動させるために用いられていた隙間を、第２リアドラグつまみとリール本体の後部との間および第２リアドラグつまみと第１リアドラグつまみの前部との間に設ける必要がなくなり、リール本体内に異物が入り込みにくくすることができる。そして、リアドラグ操作構造のシルエットに対する意匠性も向上することができる。
【００１４】
発明４に係るスピニングリールのリアドラグ操作構造では、発明１から３のいずれかに記載のスピニングリールのリアドラグ操作構造において、第１リアドラグつまみが、つまみ装着部に回転自在かつ前後移動不能に装着されている。そして、第２リアドラグつまみの前部とリール本体の後部との間および第２リアドラグつまみの後部と第１リアドラグつまみの前部との間には、微小隙間が設けられている。
【００１５】
この場合、第１リアドラグつまみが、つまみ装着部に回転自在かつ前後移動不能に装着されているので、第１リアドラグつまみを回転させても、第１リアドラグつまみは、つまみ装着部に対して前後方向に移動しないようになっている。これにより、第２リアドラグつまみの後部と第１リアドラグつまみの前部との間の隙間が、大きくならないようにすることができる。また、第２リアドラグつまみの前部とリール本体の後部との間および第２リアドラグつまみの後部と第１リアドラグつまみの前部との間には、隙間が設けられているので、第２リアドラグつまみの揺動時の初動負荷を低減することができる。このときの隙間は微小隙間であるので、リール本体内に異物が入り込みにくくすることができる。そして、リアドラグ操作構造のシルエットに対する意匠性も向上することができる。
【００１６】
発明５に係るスピニングリールのリアドラグ操作構造では、発明１から４のいずれかに記載のスピニングリールのリアドラグ操作構造において、第２リアドラグつまみとつまみ装着部との間に、第２リアドラグつまみを所定の揺動範囲で揺動させることにより発音する発音機構が設けられている。この発音機構は、複数の音出し凹部と、装着凹部と、音出しピンと、付勢手段とからなっている。複数の音出し凹部は、第２リアドラグつまみの内周に揺動範囲に応じて周方向に間隔を隔てて形成されている。装着凹部は、音出し凹部に対向する位置でつまみ装着部の外周に形成されている。音出しピンは、装着凹部に進退自在に装着されており、音出し凹部に係合している。付勢手段は、装着凹部に配置されており、音出しピンを音出し凹部側に付勢している。
【００１７】
このスピニングリールのリアドラグ操作構造では、第２リアドラグつまみを揺動させると、つまみ装着に装着された音出しピンが、付勢手段によって第２リアドラグつまみに形成された音出し凹部側に付勢され、音出しピンが複数の音出し凹部に係合して発音する。このように、第２リアドラグつまみとつまみ装着部との間に発音機構が設けられた場合でも、ナット部材をレバー部材とつまみ装着部とに対して前後方向に相対移動させることで、リアドラグ機構のドラグ力を調節することができる。これにより、レバー部材を移動させるために用いられていた隙間を、第２リアドラグつまみとリール本体の後部との間および第２リアドラグつまみと第１リアドラグつまみの前部との間に設ける必要がなくなり、リール本体内に異物が入り込みにくくすることができる。そして、リアドラグ操作構造のシルエットに対する意匠性も向上することができる。
【発明の効果】
【００１８】
本発明によれば、レバー部材が第１リアドラグつまみの前部およびリール本体の後部に接触することで、レバー部材はつまみ装着部に対して前後への相対移動が規制されている。この状態で、つまみ装着部に螺合するナット部材を、第２リアドラグつまみの揺動によりレバー部材とつまみ装着部とに対して前後方向に相対移動させることで、リアドラグ機構のドラグ力を調節することができる。これにより、レバー部材を移動させるために用いられていた隙間を、第２リアドラグつまみとリール本体の後部との間および第２リアドラグつまみと第１リアドラグつまみの前部との間に設ける必要がなくなり、リール本体内に異物が入り込みにくくすることができる。そして、リアドラグ操作構造のシルエットに対する意匠性も向上することができる。
【発明を実施するための最良の形態】
【００１９】
〔スピニングリールの構成〕
図１に、本発明の一実施形態によるスピニングリールを示す。
【００２０】
スピニングリールは、図１に示すように、主に、ハンドル１０を回転自在に支持するリール本体１と、ロータ２と、スプール３と、第１リアドラグつまみ５０および第２リアドラグつまみ５１とを備えている。
【００２１】
リール本体１は、リールボディ１ａと、リールボディ１ａから上方に延びる竿取付脚部１ｂとを有している。リールボディ１ａの内部には収納空間が形成されている。この収納空間にはロータ２をハンドル１０の回転に連動して回転させるロータ駆動機構５と、スプール３を前後に移動させて釣り糸を均一に巻き取るためのオシレーティング機構６とが設けられている。リールボディ１ａの後部１ｃには、図２および図４に示すように、後部１ｃから後方に筒状に突出した筒状部５２ｇを有するつまみ装着部５２が設けられている。つまみ装着部５２には、筒状部５２ｇの後端面に周方向に所定の間隔を隔てて複数の第１係合凹部５２ｂが形成されている。また、つまみ装着部５２には、第１雌ねじ部５２ａが筒状部５２ｇの後部内周面に、第３雄ねじ部（雄ねじ部）５２ｅが筒状部５２ｇの外周面に形成されている。この第３雄ねじ部５２ｅの後方には、環状の第１環状溝５２ｃおよび第２環状溝５２ｄが所定の間隔を隔てて形成されている。そして、つまみ装着部５２の後端から第２環状溝５２ｄに向けて第２係合凹部５２ｆが軸方向に形成されている。この第２係合凹部５２ｆは、周方向に所定の間隔を隔てて配置されており、深さが第２環状溝５２ｄの深さより深くなっている。第３雄ねじ部５２ｅの前方には、第２リアドラグつまみ５１の回転方向の位置決めをするための位置決め凹部９６が、つまみ装着部５２上部に設けられている。位置決め凹部９６は、回転方向の両側面が底部側から開口側に向けて末広がりテーパ状に形成されている。また、第３雄ねじ部５２ｅの前方には、後述する第２音出しピン７３と第２コイルばね７４とを配置するための第２装着凹部７２が、つまみ装着部５２側部に設けられている。
【００２２】
ロータ２は、リール本体１の前部に回転自在に支持されている。ロータ２は、図１に示すように、ロータ円筒部３０と、第１ロータアーム３１および第２ロータアーム３２とを有している。第１および第２ロータアーム３１，３２は、ロータ円筒部３０の側方に互いに対向して設けられている。ロータ円筒部３０と第１および第２ロータアーム３１，３２とは、たとえばアルミニウム合金製であり、ロータ円筒部３０に一体に成形されている。第１および第２ロータアーム３１，３２は、ロータ円筒部３０の周面上に周方向に広がりをもたせて接続させている。そして、ロータ円筒部３０から外方に突出して湾曲しながら前方に延びている。第１ロータアーム３１は、先端に第１ベール支持部材４０が揺動自在に装着されている。そして、第１ベール支持部材４０の先端に、釣り糸をスプール３に案内するためのラインローラ４１が装着されている。第２ロータアーム３２は、先端に第２ベール支持部材４２が揺動自在に装着されている。ラインローラ４１と第２ベール支持部材４２との間には、線材を略Ｕ状に湾曲させた形状のベール４３が固定されている。このように、第１ベール支持部材４０及び第２ベール支持部材４２、ラインローラ４１、ベール４３によって、釣り糸をスプール３に案内するベールアーム４４が構成される。ベールアーム４４は、図１に示す糸案内姿勢とそれから反転した糸開放姿勢との間で揺動自在である。
【００２３】
（ロータ駆動機構）
ロータ駆動機構５は、図１に示すように、ハンドル１０が連結されたハンドル軸１０ａとともに回転するフェースギア１１と、フェースギア１１に噛み合うピニオンギア１２とを有している。ピニオンギア１２は、筒状に形成されており、軸方向の中間部と後端部とがそれぞれ軸受１４ａ、１４ｂを介してリールボディ１ａに回転自在に支持されている。ピニオンギア１２の前部は、ロータ２の中心部を貫通してスプール３側に延びている。ピニオンギア１２の内周部には、スプール軸１４が回転軸芯に沿って前後方向に摺動自在に貫通している。
【００２４】
スプール３は、釣り糸を外周面に巻き取るものであり、図１に示すように、ロータ２の前部に前後移動自在に装着されている。スプール３は、スプール本体７と、鍔部８と、鍔部固定部材９とで構成されている。スプール本体７は、糸巻胴部４ａとスカート部４ｂとを有している。糸巻胴部４ａは、筒状に形成されており、外周に釣り糸が巻き付けられる。スカート部４ｂは、糸巻胴部４ａの外径より大径に形成され、糸巻胴部４ａの後部に一体成形されている。鍔部８は、糸巻胴部４ａの前部に装着されており、鍔部固定部材９によってスプール本体７に固定されている。
【００２５】
（オシレーティング機構）
オシレーティング機構６は、図１に示すように、スプール３に連結されたスプール軸１４を前後方向に移動させて、スプール３を同方向に移動させるための機構である。オシレーティング機構６は、スプール軸１４の下方に平行に配置された螺軸１５と、螺軸１５に沿って前後方向に移動するスライダ１６と、スプール軸に平行に配置されたガイド軸（図示しない）と、螺軸１５の先端に固定された中間ギア（図示しない）とを有している。ここで、スライダ１６は、スプール軸１４に回転不能に装着されている。
【００２６】
（リアドラグ機構）
リアドラグ機構４５は、スプール３にドラグ力を作用させるための機構である。このリアドラグ機構４５は、図２に示すように、長円筒状の第１ブッシュ１８と、複数の摩擦プレート１９ａ，２０ａからなる第１および第２摩擦係合部１９，２０と、第１摩擦係合部１９の摩擦プレート１９ａを押圧するための押圧用コイルばね２１および第１押圧部材２２と、第２摩擦係合部２０の摩擦プレート２０ａを押圧するための第２押圧部材２５とから構成されている。
【００２７】
第１ブッシュ１８は、外周面が互いに平行に面取りされた筒状に形成されている。第１ブッシュ１８の前部内周には、第２ブッシュ１８ａが第１ブッシュ１８に対して回転不能かつ摺動不能に嵌合されている。第２ブッシュ１８ａも、外周面が互いに平行に面取りされた筒状に形成されている。この第２ブッシュ１８ａは、たとえば摺動性能の高い合成樹脂製からなっており、内周にスプール軸１４が回転不能かつ摺動自在に嵌め込まれている。このように、第１ブッシュ１８とスプール軸１４との間に、摺動性能の高い第２ブッシュ１８ａを配置することで、スプール軸１４は第１および第２ブッシュ１８，１８ａの内周部において滑らかに摺動することが可能になる。
【００２８】
第１ブッシュ１８後部の外周面上には、フランジ部２３が設けられている。そして、フランジ部２３の前後に、第１摩擦係合部１９の摩擦プレート１９ａが配置される。第１摩擦係合部１９の後部には、押圧用コイルばね２１が配置されている。そして、押圧用コイルばね２１の後部には、第１押圧部材２２が直列に連結される。この第１押圧部材２２の前部２２ａは、円筒状に形成されており、外周面に第１雄ねじ部２２ｂが設けられている。また、第１押圧部材の後部２２ｃは、前部より小径の有底筒状に形成されており、外周面が互いに平行に面取りされている。
【００２９】
第２摩擦係合部２０では、第１ブッシュ１８の外周に回転不能に装着されたプレート部材２０ｂが摩擦プレート２０ａによって挟持されている。プレート部材２０ｂの外周面には、後述する音出しばね８１に係合する突起２０ｃが周方向に所定の間隔で形成されている。第２摩擦係合部２０の後部には第２押圧部材２５が配置されており、後述する第２リアドラグつまみ５１の係合部２５ｂに係合している。
【００３０】
第１押圧部材２２は、第１雄ねじ部２２ｂにおいて、つまみ装着部５２の内周面に形成された第１雌ねじ部５２ａに回転自在に装着される。この状態で第１押圧部材２２が回転すると、第１押圧部材２２は、つまみ装着部５２の内部を回転しながら前後方向に移動して、押圧用コイルばね２１を圧縮したり圧縮解除したりする。一方で、第２押圧部材２５は、第１ブッシュ１８の外周に回転自在に装着されている。この第２押圧部材２５が回転して第２摩擦係合部２０の摩擦プレート２０ａを押圧すると、摩擦プレート２０ａによってプレート部材２０ｂの両面が押圧される。
【００３１】
（第１リアドラグつまみ）
第１リアドラグつまみ５０は、リアドラグ機構４５のドラグ力を微調整するためのものであり、図３および図４に示すように、第１つまみ部材５５と、第２つまみ部材５６と、リング部材５７とからなっている。第１つまみ部材５５は、たとえば合成樹脂製であり、筒状に形成されている。この第１つまみ部材５５は、第１筒状部５５ａと第２筒状部５５ｂと第３筒状部５５ｃとを有しており、これら第１から第３筒状部５５ａ，５５ｂ，５５ｃは一体に形成されている。
【００３２】
第１筒状部５５ａには、前部内周面に環状の第３環状溝５５ｄが設けられている。この第３環状溝５５ｄとつまみ装着部５２の第１環状溝５２ｃとに、第１嵌合部材５８ａが嵌合されている。ここで、第１嵌合部材５８ａには、たとえばＯリングが用いられている。第２筒状部５５ｂは、第１筒状部５５ａの後端に一体に形成されており、外径が第１筒状部５５ａの外径より小径になっている。第３筒状部５５ｃは、第２筒状部５５ｂの後端に一体に形成されており、外径が第２筒状部５５ｂの外径より小径になっている。第３筒状部５５ｃの外周面には、第２雄ねじ部５５ｅが設けられている。
【００３３】
第３筒状部５５ｃの後端には、抜け止め係止面５５ｇが設けられている。抜け止め係止面５５ｇは、回転軸に実質的に垂直な面状に形成されている。この抜け止め係止面５５ｇの後部には、ワッシャ５９が配置されている。ワッシャ５９は、円環部５９ａと突起部５９ｂとを有している。円環部５９ａは、抜け止め係止面５５ｇに当接している。突起部５９ｂは、円環部５９ａの内周面から内方に突出して複数の第２係合凹部５２ｆに嵌合可能に形成されている。このワッシャ５９は、第２嵌合部材５８ｂによって位置決めされる。第２嵌合部材５８ｂは、ワッシャ５９の後面に当接させながら、つまみ装着部５２に形成された第２環状溝５２ｄに嵌合されている。ここで、第２嵌合部材５８ｂには、たとえばＣ型止め輪が用いられており、外径がワッシャ５９の円環部５９ａの内径より大きくなっている。
【００３４】
第２つまみ部材５６は、たとえば合成樹脂製であり、有底筒状に形成されている。第２つまみ部材５６の底部には、第１および第２嵌合部５６ｅ，５６ｆが設けられている。第１嵌合部５６ｅは、底部中央部で小判穴状に形成されている。この第１嵌合部５６ｅに、外周面が互いに平行に面取りされた第１押圧部材２２の後部２２ｃを嵌合させている。このとき、第１押圧部材２２の後部２２ｃは、第１嵌合部５６ｅ内において回転不能かつ前後方向に摺動自在になっている。第２嵌合部５６ｆは、第２つまみ部材５６の底部外周に円環凹状に形成されている。この第２嵌合部５６ｆに、後述する音出し部材６１が嵌合される。また、円環凹状に形成された第２嵌合部５６ｆの底部には、第１装着凹部６３が形成されており、この第１装着凹部６３に後述する第１音出しピン６４および第１コイルばね６５が配置される。
【００３５】
第２つまみ部材５６の内周側面には、環状の第４環状溝５６ｂと第２雌ねじ部５６ｄとが設けられている。第４環状溝５６ｂは、第２つまみ部材５６の底部側で、後述する音出し部材６１の外径より大径に形成されている。第２雌ねじ部５６ｄは、第２つまみ部材５６の開口側に形成されている。この第２雌ねじ部５６ｄを第１つまみ部材５５の第２雄ねじ部５５ｅに螺合させることで、第２つまみ部材５６が第１つまみ部材５５に連結される。このとき、第１つまみ部材５５と第２つまみ部材５６との間には、リング部材５７が配置される。このリング部材５７は、たとえばアルミニュウム製である。なお、第１つまみ部材５５と第２つまみ部材５６との間にリング部材５７を設置したことで、第１リアドラグつまみ５０の意匠性を向上することができる。
【００３６】
（第２リアドラグつまみ）
第２リアドラグつまみ５１は、リアドラグ機構４５のドラグ力を第１リアドラグつまみ５０より広い範囲で調整するためのものであり、リールボディ１ａの後部１ｃと第１リアドラグつまみ５０の前部との間に配置されている。この第２リアドラグつまみ５１は、図５に示すように、第１レバー部材（レバー部材）９０と、第２レバー部材（レバー部材）９１と、位置決めピン９２および第４コイルばね９３と、固定部材（レバー部材）９４と、筒状部材（ナット部材）９５とからなっている。第１レバー部材９０は、筒状に形成されており、外周面から径方向外方に向けて突出した第１レバー部９０ａを有している。第１レバー部９０ａは前方に開口した収納部を有しており、この収納部に後述する第２レバー部９１ａを収納できるようになっている。また、第１レバー部材９０には、内周部に向けて突出した第１嵌合凸部（第１凸部）９０ｂが周方向に所定の間隔で形成されている。さらに、第１レバー部９０の後部には、第１リアドラグつまみ５０の前部との間に微小な隙間が設けられている。そして、第２リアドラグつまみ５１を揺動させたときには、第１レバー部９０の後部が第１リアドラグつまみ５０の前部に接触可能になっている。第２レバー部材９１は、筒状に形成されており、第１レバー部材９０の内周側に配置されている。第２レバー部材９１は外周面から径方向外方に向けて突出して形成された第２レバー部９１ａを有しており、この第２レバー部９１ａを第１レバー部９０ａの収納部に収納することで、第２レバー部材９１は第１レバー部材９０に対して回転不能になっている。また、第２レバー部材９１には、内周面に第２嵌合凹部（第２凹部）９１ｃが、周方向に所定の間隔で形成されている。第２レバー部９１ａには第４装着凹部９１ｂが形成されており、この第４装着凹部９１ｂは開口側が前方になるように配置されている。第４装着凹部９１ｂには、位置決めピン９２と第４コイルばね９３とが装着される。
【００３７】
位置決めピン９２は、第４頭部９２ａと、第４受け部９２ｂと、第４軸部９２ｃとを有している。第４頭部９２ａと第４受け部９２ｂとは、略Γ字形に一体に形成されている。このとき、第４頭部９２ａは下向き（回転軸方向）に形成されており、第４受け部９２ｂは横向き（回転軸に略平行）に形成されている。第４頭部９２ａは、矩形柱状に形成されており、先端部の両側面が先細りテーパ状になっている。第４受け部９２ｂでは、先端部が第４装着凹部９１ｂの下側側面に係合している。第４軸部９２ｃは、第４受け部９２ｂに連結された軸状の部分であり、外周に第４コイルばね９３を配置できるようになっている。第４コイルばね９３は、基端部が第４装着凹部９１ｂの上側側面に当接しており、先端部が第４受け部９２ｂと第４軸部９２ｃとの段差部分に当接している。この第４コイルばね９３は、圧縮状態で第４装着凹部９１ｂに収納され、位置決めピン９２を位置決め凹部９６側に付勢している。このように、位置決めピン９２と第４コイルばね９３とを第４装着凹部９１ｂに配置すると、第２リアドラグつまみ５１を揺動させたときに、位置決めピン９２がつまみ装着部５２の上部に形成された位置決め凹部９６に対向した位置にくると、位置決めピン９２の頭部９２ａが位置決め凹部９６に係合するようになっている。
【００３８】
固定部材９４は、位置決めピン９２および第４コイルばね９３を第４装着凹部９１ｂから抜け出さないようにするためのものであり、たとえばボルトにより第２レバー部材９１に固定されている。このようにすると、第２リアドラグつまみ５１を前方から順に組み立てていくことができる。また、固定部材９４の前部には、リールボディ１ａの後部１ｃとの間に微小な隙間が設けられている。そして、第２リアドラグつまみ５１を揺動させたときには、固定部材９４の前部がリールボディ１ａの後部１ｃに接触可能になっている。
【００３９】
筒状部材９５は、前部の外径が中央部の外径より大径に形成されており、前部と中央部との間の段差部がテーパ状に形成されている。筒状部材９５の前部外周面には、第２嵌合凸部（第２凸部）９５ａが前端から後方に向けて形成されており、この第２嵌合凸部９５ａが筒状部材９５の周方向に間隔を隔てて複数配置されている。筒状部材９５の前部内周縁には、第２リアドラグつまみ５１の動作を第２押圧部材２５に伝達するための係合部９５ｂが形成されている。また、筒状部材９５の後部外周面には、第１嵌合凹部（第１凹部）９５ｃが後端から前方に向けて形成されており、この第１嵌合凹部９５ｃが筒状部材９５の周方向に間隔を隔てて複数配置されている。この筒状部材９５は、第２嵌合凸部９５ａが第２レバー部材９１の第２嵌合凹部９１ｃに嵌合されて、第１嵌合凹部９５ｃが第１レバー部材９０の第１嵌合凸部９０ｂに嵌合される。このとき、筒状部材９５の段差部と中央部とは、第２レバー部材９１の内周面に当接している。このようにして、筒状部材９５は、第１および第２レバー部材９０，９１に対して相対回転不能かつ前後相対移動可能に装着される。また、筒状部材９５の内周面には第３雌ねじ部９５ｅが設けられており、この第３雌ねじ部９５ｅをつまみ装着部５２の第３雄ねじ部５２ｅに螺合させることで、筒状部材９５はつまみ装着部５２に回動自在に装着される。
【００４０】
ここで、第２リアドラグつまみ５１では、第１レバー部材９０および固定部材９４と、第２レバー部材９１とで異なる材質が用いられている。たとえば、第１レバー部材９０および固定部材９４はＡＢＳ樹脂製になっており、第２レバー部材９１は合成樹脂製になっている。第１レバー部材９０および固定部材９４の表層側には、めっき処理されためっき層９９が設けられている。このとき、第１レバー部材９０および固定部材９４と第２レバー部材９１とを異なる材質にしたことで、めっき層９９をめっき処理するにあたって偏肉によるヒケマークを防止することができる。
【００４１】
（リアドラグ発音機構）
リアドラグ発音機構は、第１リアドラグ発音機構（第１リアドラグつまみ操作時の発音機構）６０と、第２リアドラグ発音機構（第２リアドラグつまみ操作時の発音機構）７０と、第３リアドラグ発音機構（ドラグ作動時の発音機構）８０とからなる。
【００４２】
（第１リアドラグ発音機構）
第１リアドラグ発音機構６０は、図６および図７に示すように、つまみ装着部５２と第２つまみ部材５６との間に配置され、つまみ装着部５２と第１リアドラグつまみ５０との相対回転により発音するようになっている。この第１リアドラグ発音機構６０は、音出し部材６１と、抜け止め部材６２と、第１装着凹部６３と、第１音出しピン６４と、第１コイルばね６５とを備えている。
【００４３】
音出し部材６１は、リング状に形成される円盤部６１ａと、円盤部６１ａの一面に回転方向に間隔を隔てて配置された複数の音出し凹部６１ｂと、円盤部６１ａの他面に一体に形成された係合部６１ｃとを有している。この音出し部材６１では、円盤部６１ａが、第２つまみ部材５６の第２嵌合部５６ｆに嵌合されており、第２つまみ部材５６に対して回転自在になっている。また、円板部６１ａの外径は、第４環状溝５６ｂの内径より小径に形成されている。係合部６１ｃは、つまみ装着部５２の後端面に形成された第１係合凹部５２ｂに向けて突出して形成されており、この第１係合凹部５２ｂに嵌合されている。抜け止め部材６２は、音出し部材６１の脱落防止のために設けられている。この抜け止め部材６２は、たとえばＣ型止め輪となっており、第４環状溝５６ｂに配置される。また、抜け止め部材６２の内径は、音出し部材６１の円盤部６１ａの外径より小さく形成されている。第１装着凹部６３は、複数の音出し凹部６１ｂに対向する位置で、第２つまみ部材５６の底部に形成されている。
【００４４】
第１音出しピン６４は、第１装着凹部６３に進退自在に装着されており、音出し部材６１の第１音出し凹部６１ｂに係合している。第１音出しピン６４は、第１頭部６４ａと、第１頭部６４ａに連結された第１受け部６４ｂと、第１受け部６４ｂに連結された第１軸部６４ｃとを有している。第１頭部６４ａは先端が滑らかな凸状に形成されている。この第１頭部６４ａの先端が、第１音出し凹部６１ｂに衝突を繰り返すことでクリック音を発する。ここで、第１音出しピン６４は第１頭部６４ａの先端が滑らかな凸状に形成されているので、第１音出しピン６４は、極力少ない抵抗でクリック音を発することができる。第１受け部６４ｂは、第１頭部６４ａより大径かつ第１装着凹部６３の内径より小径に形成されている。第１軸部６４ｃは、第１受け部６４ｂより小径に形成された軸状の部分であり、外周に第１コイルばね６５を配置できるようになっている。このように、第１軸部６４ｃが第１受け部６４ｂより小径に形成されることで、第１受け部６４ｂと第１軸部６４ｃとの段差部分に第１コイルばね６５の先端が当接可能となっている。
【００４５】
第１コイルばね６５は、第１音出しピン６４の第１軸部６４ｃの外周側に配置される。このとき、第１コイルばね６５の基端部は第１装着凹部６３の底部に当接しており、第１コイルばね６５の先端部は第１受け部６４ｂと第１軸部６４ｃとの段差部分に当接している。この第１コイルばね６５は、圧縮状態で第１装着凹部６３に収納され、第１音出しピン６４を第１音出し凹部６１ｂ側に付勢している。
【００４６】
（第２リアドラグ発音機構）
第２リアドラグ発音機構７０は、図８および図９に示すように、つまみ装着部５２と第１レバー部材９０に回転不能に収納された第２レバー部材９１との間に配置され、第２リアドラグつまみ５１を揺動させることにより発音するようになっている。この第２リアドラグ発音機構７０は、第２音出し凹部７１と、第２装着凹部７２と、第２音出しピン７３と、第２コイルばね７４とを備えている。第２音出し凹部７１は、軸方向に延びた溝状に形成されており、第２レバー部材９１の前方の内周側面に揺動範囲に応じて周方向に間隔を隔てて複数形成されている。第２装着凹部７２は、第２音出し凹部７１に対向するようにつまみ装着部５２の外周側面に形成されている。この第２装着凹部７２の底部には、嵌合穴７２ａが形成されている。
【００４７】
第２音出しピン７３は、第２装着凹部７２に進退自在に装着されており、第２音出し凹部７１に係合している。第２音出しピン７３は、第２頭部７３ａと、第２頭部７３ａに連結された第２受け部７３ｂと、第２受け部７３ｂに連結された第２軸部７３ｃとを有している。第２頭部７３ａは先端が滑らかな凸状に形成されている。この第２頭部７３ａの先端が、第２音出し凹部７１に衝突を繰り返すことでクリック音を発する。ここで、第２音出しピン７３は、第２頭部７３ａの先端が滑らかな凸状に形成されているので、極力少ない抵抗でクリック音を発することができる。第２受け部７３ｂは、第２頭部７３ａより大径かつ第２装着凹部７２の内径より小径に形成されている。第２軸部７３ｃは、第２受け部７３ｂより小径に形成された軸状の部分であり、外周に第２コイルばね７４を配置できるようになっている。このように、第２軸部７３ｃが第２受け部７３ｂより小径に形成されることで、第２受け部７３ｂと第２軸部７３ｃとの段差部分に第２コイルばね７４の先端が当接可能となっている。また、第２軸部７３ｃは、第２装着凹部７２に形成された嵌合穴７２ａに、軸方向に摺動自在に嵌合されている。
【００４８】
第２コイルばね７４は、第２音出しピン７３の第２軸部７３ｃの外周に配置される。このとき、第２コイルばね７４の基端部は第２装着凹部７２の底部に当接しており、第２コイルばね７４の先端部は第２受け部７３ｂと第２軸部７３ｃとの段差部分に当接している。この第２コイルばね７４は、圧縮状態で第２装着凹部７２に収納され、第２音出しピン７３を第２音出し凹部７１側に付勢している。
【００４９】
（第３リアドラグ発音機構）
第３リアドラグ発音機構８０は、リアドラグ機構４５が作動したときに発音するようになっている。第３リアドラグ発音機構８０は、図１および図２に示すように、音出しばね８１と、プレート部材２０ｂの外周面に形成された突起２０ｃとからなっている。音出しばね８１は、たとえば略Ｌ字形に形成された板ばねになっており、リールボディ１ａに一端が固定されている。そして、音出しばね８１の他端が突起２０ｃに係合している。これにより、リアドラグ機構４５が作動したときに、スプール軸１４および第１ブッシュ１８とともにプレート部材２０ｂが回転して、プレート部材２０ｂの突起２０ｃが音出しばね８１の他端に衝突を繰り返して発音する。
【００５０】
〔スピニングリールの動作〕
以上に示したスピニングリールを使用する場合、糸を繰り出すときには、ベール４３を糸開放側に倒す。そして、釣り竿をキャスティングすると、スプール３から釣り糸が繰り出される。糸を巻き取るときには、ベール４３を糸巻取側に戻す。この状態でハンドル１０を糸巻取方向に回転させると、この回転力がハンドル軸１０ａ及びフェースギア１１を介してピニオンギア１２に伝達される。そして、ピニオンギア１２に伝達された回転力が、ピニオンギア１２の前部においてロータ２を回転させる。一方で、ピニオンギア１２に伝達された回転力は、ピニオンギア１２に噛み合う中間ギア（図示しない）を介して螺軸１５も同時に回転させる。このとき、螺軸１５の螺旋溝に噛み合うスライダ１６がガイド軸（図示しない）に案内され前後方向に移動する。スライダ１６が移動すると、スライダ１６とともにスプール軸１４とスプール３とが前後方向に往復移動する。こうしたロータ２の回転とスプール３の前後移動とによって、ベール４３およびラインローラ４１から案内された釣り糸が、スプール３の外周に前後方向に均一に巻き取られる。このように動作するスピニングリールを使用するとき、魚がかかって魚が所定のドラグ力を越える力で釣り糸を引き込むと、スプール軸１４とスプール３とが相対回転してリアドラグ機構４５が作動する。このとき、第３リアドラグ発音機構８０において、プレート部材２０ｂの突起２０ｃが音出しばね８１の他端に衝突を繰り返して発音する。
【００５１】
〔第１リアドラグつまみの組み立ておよび動作〕
第１リアドラグつまみ５０を組み立てるためには、図６に示すように、第１リアドラグ発音機構６０を第１リアドラグつまみ５０の第２つまみ部材５６に装着しておく必要がある。まず、第２つまみ部材５６の第１装着凹部６３に、第１音出しピン６４と第１コイルばね６５とを配置する。そして、第１音出しピン６４の第１頭部６４ａを音出し部材６１の第１音出し凹部６１ｂに当接させた状態で、音出し部材６１を第２つまみ部材５６の第２嵌合部５６ｆに装着する。次に、抜け止め部材６２を第２つまみ部材５６に形成された第４環状溝５６ｂに装着して、音出し部材６１を抜け止めする。
【００５２】
第１リアドラグ発音機構６０を第２つまみ部材５６に装着した後、第１リアドラグつまみ５０をつまみ装着部５２に装着するために、図３および図４に示したように、まず、第１つまみ部材５５にリング部材５７を配置する。そして、第１つまみ部材５５の第３環状溝５５ｄを、つまみ装着部５２の第１環状溝５２ｃに配置された第１嵌合部材５８ａに嵌合する。次に、ワッシャ５９を、第１つまみ部材５５の第３筒状部５５ｃ後部に配置する。このとき、ワッシャ５９は、突起部５９ｂをつまみ装着部５２の後端から第２係合凹部５２ｆに嵌合させ、円環部５９ａ前面を第１つまみ部材５５の抜け止め係止面５５ｇに当接させる。ここで、ワッシャ５９の突起部５９ｂをつまみ装着部５２の第２係合凹部５２ｆに嵌合させているので、ワッシャ５９はつまみ装着部５２に対して回転が規制されている。続いて、第２嵌合部材５８ｂを、ワッシャ５９の後面に当接させて、第２環状溝５２ｄに嵌合する。この第２嵌合部材５８ｂによって、第１つまみ部材５５の後方への移動をワッシャ５９を介して規制することができる。また、第１つまみ部材５５が回転しても、つまみ装着部５２に対して回転が規制されたワッシャ５９によって、第１つまみ部材５５の回転が第２嵌合部材５８ｂに伝達されないようになっている。これにより、第２嵌合部材５８ｂの姿勢を安定に保つことができる。最後に、第２つまみ部材５６を第１つまみ部材５５に連結する。このとき、第２つまみ部材５６に装着された第１リアドラグ発音機構６０の音出し部材６１の係合部６１ｃをつまみ装着部５２の係合凹部５２ｂに嵌合させて、音出し部材６１とつまみ装着部５２とを回転不能に連結する。
【００５３】
このように、第１リアドラグ発音機構６０を第２つまみ部材５６に装着した後、第２つまみ部材５６を第１つまみ部材５５に連結できるようにしたことで、第２つまみ部材５６を、第１リアドラグ発音機構６０とともに、第１つまみ部材５５に装着したり、第１つまみ部材５５から取り外したりすることが容易になる。このとき、第１音出しピン６４を音出し部材６１の第１音出し凹部６１ｂに係合させた状態で音出し部材６１を第２つまみ部材５６に装着して、抜け止め部材６２で音出し部材６１を抜け止めしているので、第２つまみ部材５６をどのような姿勢でつまみ装着部５２に装着しようとしても、第１音出しピン６４や付勢手段６５は第２つまみ部材５６から抜け落ちにくい。また、第２つまみ部材５６をつまみ装着部５２から取り外そうとしても、抜け止め部材６２によって抜け止めされた音出し部材６１が、第２つまみ部材５６からの第１音出しピン６４や付勢手段６５の抜け出しを規制するので、音出しピン６４は第２つまみ部材５６から抜け落ちにくい。
【００５４】
以上のようにつまみ装着部５２に装着された第１リアドラグつまみ５０を締め付けると、第２つまみ部材５６の第１嵌合部５６ｅに嵌合させた第１押圧部材２２が回転しながら前方へと移動し、第１押圧部材２２に連結された押圧用コイルばね２１が押し込まれる。すると、第１摩擦係合部１９の複数の摩擦プレート１９ａに働く押圧力が増大する。このとき、第１ブッシュ１８のフランジ部２３の両面は摩擦プレート１９ａに挟持されており、このフランジ部２３の両面に働く押圧力も増大する。このようにして、第１ブッシュ１８に対して回転不能なスプール軸１４は回転しにくくなり、スプール３に作用するドラグ力は強くなる。一方で、第１リアドラグつまみ５０を弛めると、第１押圧部材２２は回転しながら後方へと移動し、押圧用コイルばね２１の押し込まれた状態が徐々に解除される。すると、摩擦プレート１９ａに挟持されたフランジ部２３の押圧が解除されて、第１ブッシュ１８に対して回転不能なスプール軸１４は回転しやすくなり、スプール３に作用するドラグ力は弱くなる。
【００５５】
また、第１リアドラグつまみ５０を締め付けたり弛めたりしたときには、第１つまみ部材５５が、つまみ装着部５２に対して軸方向に移動不能の状態で相対回転する。そして、第１つまみ部材５５に回転不能に連結した第２つまみ部材５６と、つまみ装着部５２に回転不能に装着した音出し部材６１とが相対回転する。すると、第２つまみ部材５６の第１装着凹部６３に配置した第１音出しピン６４が、第１コイルばね６５によって付勢された状態で、音出し部材６１に形成された複数の第１音出し凹部６１ｂに衝突を繰り返してクリック音を発する。このように、第２つまみ部材５６の第１装着凹部６３に配置した第１音出しピン６４を、音出し部材６１の複数の第１音出し凹部６１ｂに、第１コイルばね６５の付勢力によって係合させることで、第１リアドラグつまみ５０を回転させたときに歯切れの良いクリック音を得ることができる。なお、第１リアドラグつまみ５０はつまみ装着部５２に対して軸方向に移動不能になっているので、第１リアドラグつまみ５０と第２リアドラグつまみ５１との間には段差が生じにくくなる。これにより、第１リアドラグつまみ５０から第２リアドラグつまみ５１にかけてのシルエットに対する意匠性を向上することができる。
【００５６】
〔第２リアドラグつまみの組み立ておよび動作〕
第２リアドラグつまみ５１を組み立てるためには、図８および図９に示したように、第２リアドラグ発音機構７０をつまみ装着部５２に装着しておく必要がある。まず、つまみ装着部５２に形成された第２装着凹部７２に、第２音出しピン７３と第２コイルばね７４とを配置する。このとき、第２音出しピン７３の第２軸部７３ｃの外周に第２コイルばね７４を配置して、第２音出しピン７３の第２軸部７３ｃを、第２装着凹部７２の底部に形成された嵌合穴７２ａに嵌合する。そして、第２音出しピン７３の第２頭部７３ａを第２レバー部材９１に形成された第２音出し凹部７１に当接できる状態にしておく。
【００５７】
このように第２リアドラグ発音機構７０をつまみ装着部５２に装着に装着した後、第２リアドラグつまみ５１を組み立てるために、図５に示したように、まず、第１レバー部材９０の内周部に第２レバー部材９１を収納する。そして、第２レバー部材９１の第４装着凹部９１ｂに、位置決めピン９２と第４コイルばね９３とを配置する。これら位置決めピン９２と第４コイルばね９３とが第４装着凹部９１ｂから抜け出さないように、固定部材９４をボルトにより第２レバー部材９１に固定する。次に、第２レバー部材９１の第２嵌合凹部９１ｃおよび第１レバー部材９０の第１嵌合凸部９０ｂを、筒状部材９５の第２嵌合凸部９５ａおよび第１嵌合凹部９５ｃに後方から嵌合する。
【００５８】
このようにして組み立てられた第２リアドラグつまみ５１をつまみ装着部５２に装着するには、筒状部材９５の内周面に設けられた第３雌ねじ部９５ｅを、つまみ装着部に形成された第３雄ねじ部５２ｅに螺合させる。このときに、第２リアドラグ発音機構７０の第２音出しピン７３の第２頭部７３ａを、第２レバー部材９１に形成された第２音出し凹部７１に当接させる。これにより、第２リアドラグつまみ５１はつまみ装着部５２に揺動自在に装着され、第２リアドラグ発音機構７０が第２リアドラグつまみ５１とつまみ装着部５２との間に配置される。
【００５９】
以上のようにつまみ装着部５２に装着された第２リアドラグつまみ５１を締め付けると、つまみ装着部５２に螺合させた筒状部材９５は、第１および第２レバー部材９０，９１とともにつまみ装着部５２に対して相対回転しながら、第１および第２レバー部材９０，９１とつまみ装着部５２に対して前方に相対移動する。そして、係合部９５ｂを介して第２押圧部材２５が第２摩擦係合部２０を押圧する。すると、第２摩擦係合部２０の複数の摩擦プレート２０ａに働く押圧力が増大する。このとき、第１ブッシュ１８の外周に回転不能に装着されたプレート部材２０ｂの両面は摩擦プレート２０ａによって挟持されており、このプレート部材２０ｂの両面に働く押圧力も増大する。このようにして、第１ブッシュ１８に対して回転不能なスプール軸１４も回転しにくくなり、スプール３に対するドラグ力は強くなる。一方で、第２リアドラグつまみ５１を弛めると、筒状部材９５は、第１および第２レバー部材９０，９１とともにつまみ装着部５２に対して相対回転しながら、第１および第２レバー部材９０，９１とつまみ装着部５２に対して後方に相対移動する。すると、第２押圧部材２５による第２摩擦係合部２０の押圧状態が徐々に解除される。すると、第１ブッシュ１８に対して回転不能なスプール軸１４は回転しやすくなり、スプール３のドラグ力は弱くなる。
【００６０】
また、第２リアドラグつまみ５１を締め付けたり弛めたりしたときには、第２レバー部材９１は、第１レバー部材９０および固定部材９４ともに、つまみ装着部５２に対して相対回転する。すると、つまみ装着部５２の第２装着凹部７２に配置した第２音出しピン７３が、第２コイルばね７４によって付勢された状態で、第２レバー部材９１に形成された複数の第２音出し凹部７１に衝突を繰り返してクリック音を発する。このように、つまみ装着部５２の第２装着凹部７２に配置した第２音出しピン７３を、第２レバー部材９１に形成された複数の第２音出し凹部７１に、第２コイルばね７４の付勢力によって係合させることで、第２リアドラグつまみ５１を揺動させたときに、歯切れの良いクリック音およびメリハリのあるクリック感を得ることができる。
【００６１】
以上のように組み立てられ動作する第２リアドラグつまみ５１では、第１および第２レバー部材９０，９１と固定部材９４とがリールボディ１ａの後部１ｃと第１リアドラグつまみ５０との間に配置された状態で、筒状部材９５のみがつまみ装着部５２に対して前後方向に相対移動するようになっている。これにより、固定部材９４とリールボディ１ａの後部１ｃとの間と、第１レバー部材９０と第１リアドラグつまみ５０との間とには、微小な隙間を確保しておくだけで、第２リアドラグつまみ５１を滑らかに揺動させることができる。また、隙間を微小にすればするほど、リール本体内に異物が入り込みにくくすることができる。そして、リアドラグ操作構造のシルエットに対する意匠性も向上することができる。
【００６２】
〔他の実施形態〕
（ａ）  前記実施形態では、第２リアドラグつまみ５１の固定部材９４をリールボディ１ａの後部１ｃに近接させて、固定部材９４の前部とリールボディ１ａの後部１ｃとの間の隙間を微小にした場合の例を示したが、隙間を微小にする方法は、前記実施形態に限定されず、どのようにしても良い。
【００６３】
たとえば、図１０に示すように、リールボディ１ａの後部１ｃに突出部１ｄを設けることで、固定部材９４の前部とリールボディ１ａの後部１ｃとの間の隙間を微小にしても良い。ここで、突出部１ｄは、リールボディ１ａの後部１ｃから後方に向けて突出させている。このときの突出部１ｄは、リールボディ１ａの後部１ｃに、１つまたは周方向に間隔を隔てて複数形成したり、環状に一体に形成したりすることで、固定部材９４の前部との間の隙間を微小にすることができる。
【００６４】
また、図１１に示すように、リールボディ１ａの後部がワッシャ１ｅを有するような場合には、固定部材９４の前部とリールボディ１ａの後部１ｃとの間の隙間がワッシャ１ｅによって微小になるようにしても良い。さらに、第２レバー部材９１に形成された複数の第２音出し凹部７１が、第２レバー部材９１とは別部材の音出し部材に形成されるような場合には、この音出し部材をワッシャ１ｅの代わりに用いることで、固定部材９４の前部とリールボディ１ａの後部１ｃとの間の隙間が微小になるようにしても良い。
【００６５】
（ｂ）  前記実施形態では、第１嵌合凹部９５ｃと第２嵌合凸部９５ａとが筒状部材９５の周方向に間隔を隔てて複数配置された場合の例を示したが、筒状部材９５への第１嵌合凹部９５ｃと第２嵌合凸部９５ａとの配置数は、前記実施形態に限定されず、筒状部材９５に第１および第２レバー部材９０，９１を位置決めして、筒状部材９５を第１および第２レバー部材９０，９１に対して前後方向に安定に相対移動させることができれば、どのようにしても良い。
【図面の簡単な説明】
【００６６】
【図１】本発明の一実施形態によるスピニングリールの断面図。
【図２】前記スピニングリール後部の拡大断面図。
【図３】前記スピニングリールの第１リアドラグつまみの拡大断面図。
【図４】前記スピニングリールの抜け止め構造の分解斜視図。
【図５】前記スピニングリールの第２リアドラグつまみの拡大断面図。
【図６】前記スピニングリールに設置された第１リアドラグ発音機構の拡大断面図。
【図７】前記スピニングリールのつまみ装着部の模式図および第１リアドラグつまみの断面図。
【図８】前記スピニングリールに設置された第２リアドラグ発音機構の断面図（図１のＩ−Ｉ位置）。
【図９】前記第２リアドラグ発音機構の拡大断面図。
【図１０】本発明の他の実施形態による図５に相当する図。
【図１１】本発明の他の実施形態による図５に相当する図。
【符号の説明】
【００６７】
１  リール本体
１ａ  リールボディ
１ｃ  リールボディの後部（リール本体の後部）
１９  第１摩擦係合部
１９ａ  摩擦プレート
２０  第２摩擦係合部
２０ａ  摩擦プレート
２０ｂ  プレート部材
２０ｃ  突起
２１  押圧用コイルばね
２２  第１押圧部材
２２ｂ  第１雄ねじ部
２２ｃ  第１押圧部材の後部
２３  フランジ部
２５  第２押圧部材
２５ｂ  係合部
４５  リアドラグ機構
５０  第１リアドラグつまみ
５１  第２リアドラグつまみ
５２  つまみ装着部
５２ａ  第１雌ねじ部
５２ｂ  第１係合凹部
５２ｃ  第１環状溝
５２ｄ  第２環状溝
５２ｅ  第３雄ねじ部（雄ねじ部）
５２ｆ  第２係合凹部
５２ｇ  筒状部
５５  第１つまみ部材
５５ａ  第１筒状部
５５ｂ  第２筒状部
５５ｃ  第３筒状部
５５ｄ  第３環状溝
５５ｅ  第２雄ねじ部
５５ｇ  抜け止め係止面
５６  第２つまみ部材
５６ｂ  第４環状溝
５６ｄ  第２雌ねじ部
５６ｅ  第１嵌合部
５６ｆ  第２嵌合部
５７  リング部材
５８ａ  第１嵌合部材
５８ｂ  第２嵌合部材
５９  ワッシャ
５９ａ  円環部
５９ｂ  突起部
７０  第２リアドラグ発音機構
７１  第２音出し凹部（音出し凹部）
７２  第２装着凹部（装着凹部）
７２ａ  嵌合穴
７３  第２音出しピン（音出しピン）
７３ａ  第２頭部
７３ｂ  第２受け部
７３ｃ  第２軸部
７４  第２コイルばね（付勢手段）
９０  第１レバー部材（レバー部材）
９０ａ  第１レバー部
９０ｂ  第１嵌合凸部（第１凸部）
９１  第２レバー部材（レバー部材）
９１ａ  第２レバー部
９１ｂ  第４装着凹部
９１ｃ  第２嵌合凹部（第２凹部）
９２  位置決めピン
９２ａ  第４頭部
９２ｂ  第４受け部
９２ｃ  第４軸部
９３  第４コイルばね
９３  第４コイルばね
９４  固定部材（レバー部材）
９５  筒状部材（ナット部材）
９５ａ  第２嵌合凸部（第２凸部）
９５ｂ  係合部
９５ｃ  第１嵌合凹部（第１凹部）
９５ｅ  第３雌ねじ部
９６  位置決め凹部
【図１】
2005046086.tif 000003
【図２】
2005046086.tif 000004
【図３】
2005046086.tif 000005
【図４】
2005046086.tif 000006
【図５】
2005046086.tif 000007
【図６】
2005046086.tif 000008
【図７】
2005046086.tif 000009
【図８】
2005046086.tif 000010
【図９】
2005046086.tif 000011
【図１０】
2005046086.tif 000012
【図１１】
2005046086.tif 000013